(57)【要約】【課題】シールド電線の露出した編組線のほつれに起因するショートを防止できるシールド電線の端末接続構造を提供する。【解決手段】先端側が露出された芯線２に端子２０を接続し、先端側が露出され折り返しで二重にされた編組線４にシールド部材４０を接続するシールド電線１の端末接続構造１０であって、連結段差部３１を挟んで同軸上に配置された小筒部３２と大筒部３３を有するスリーブ３０が芯線２の先端側より挿入され、スリーブ３０は、小筒部３２が露出された絶縁内皮３の外周を覆い、連結段差部３１が絶縁内皮３と二重にされた編組線４との段差６を覆い、大筒部３３が二重の編組線４の外周を覆う。【選択図】図１
2015079651.tif 000002
【特許請求の範囲】
【請求項１】
シールド電線が芯線と前記芯線の外周を絶縁内皮を介して覆う編組線とを有し、
先端側が露出された前記芯線に端子を接続し、
先端側が露出されて折り返しで二重にされた前記編組線にシールド部材を接続するシールド電線の端末接続構造であって、
連結段差部を挟んで同軸上に配置された小筒部と大筒部を有する導電性材のスリーブが前記芯線の先端側より挿入され、
前記スリーブは、前記小筒部が前記編組線の折り返しによって露出された前記絶縁内皮の外周を覆い、
前記連結段差部が前記絶縁内皮と二重にされた前記編組線との段差を覆い、前記大筒部が二重にされた前記編組線の外周を覆い、
前記シールド部材は、前記スリーブを介して前記シールド電線に接続されたことを特徴とするシールド電線の端末接続構造。
【請求項２】
請求項１記載のシールド電線の端末接続構造であって、
前記シールド部材には、軸方向の両端に開口端を有するスリットが形成され、
前記スリットは、軸方向に延びるストレート部と、前記ストレート部の間に介在され、軸方向とは異なる方向に延びる段差部とを有し、
前記シールド部材は、拡径方向の変位によって前記スリーブの外周に配置され、縮径方向の変位によって前記スリーブに嵌合されたことを特徴とするシールド電線の端末接続構造。
【発明の詳細な説明】
【技術分野】
【０００１】
本発明は、芯線の外周を覆う編組線を備えたシールド電線の端末接続構造に関する。
【背景技術】
【０００２】
シールド電線の端末接続構造として、シールド電線の端末の露出された芯線に端子を接続し、 端末の編組線にシールド部材を接続するものが従来より種々提案されている（特許文献１参照）。
【０００３】
かかるシールド電線の端末接続構造の一従来例が図８〜図１０に示されている。図８に示すシールド電線１００は、導体からなる芯線１０１と、芯線１０１を覆う絶縁内皮１０２と、絶縁内皮１０２の外周に設けられたシールドとしての編組線１０３と、編組線１０３を覆う絶縁外皮１０４とから構成されている。
【０００４】
シールド電線１００の端末接続構造は、インナー端子１１０と、インナー端子１１０の外側に設けられるアウター端子（シールド部材）１２０とを備えている。インナー端子１１０は、相手端子（図示せず）を収容する筒状の端子収容部１１１と、この端子収容部１１１の底部と一体に形成され、端子収容部１１１より後方（図８の右側）に延設される底板部１１２と、底板部１１２の幅方向の両端から上方に折り曲げ形成され、シールド電線１００の露出した芯線１０１に圧着接続される第１圧着部１１３とを有する。アウター端子１２０は、端子収容部１１１を収容する箱部１２１と、この箱部１２１の底部と一体に形成され、箱部１２１より後方に延設される底板部１２２と、底板部１２２の幅方向の両端から上方に折り曲げ形成され、シールド電線１００の露出した編組線１０３及び絶縁外皮１０４にそれぞれ圧着される第２圧着部１２３及び第３圧着部１２４とを備えている。
【０００５】
上記構成では、先ず、図９（ａ）に示すように、シールド電線１００の先端部の皮剥ぎ処理を行い、シールド電線１００の先端から後端側に向かって芯線１０１、絶縁内皮１０２、編組線１０３の順に露出させる。次に、図９（ｂ）の矢印Ａ２で示すように、シールド電線１００の先端部の露出した編組線１０３を後端側へ折り返して二重にする。次に、図９（ｃ）に示すように、インナー端子１１０の第１圧着部１１３にシールド電線１００の露出した芯線１０１を装着して、圧着治具（図示せず）で第１圧着部１１３を加締めることにより、第１圧着部１１３を芯線１０１に圧着接続する。次に、図８に示すように、アウター端子１２０の第２圧着部１２３及び第３圧着部１２４に、露出した編組線１０３及び絶縁外皮１０４をそれぞれ装着して、圧着治具で第２圧着部１２３を加締めることにより、編組線１０３に第２圧着部１２３を圧着接続する。同様に、圧着治具で第３圧着部１２４を加締めることにより、絶縁外皮１０４に第３圧着部１２４を圧着する。
【０００６】
前記圧着治具の一例として、特許文献１に開示されたものがある。この圧着治具は、圧着端子を挟み込んで加締めるクリンパー及びアンビルと、クリンパーの先端側を挟み込んでクリンパーが開脚するのを規制する爪部挟持部材とを備えている（特許文献２参照）。
【先行技術文献】
【特許文献】
【０００７】
【特許文献１】特開２０００−２２８２５２号公報
【特許文献２】特開平６−２６０２５８号公報
【発明の概要】
【発明が解決しようとする課題】
【０００８】
しかしながら、前記従来例のシールド電線１００の端末接続構造では、シールド電線１００の先端部の露出した編組線１０３の折り返し時に、図１０に示すように、編組線１０３のほつれ１０３ａが発生し、このほつれ１０３ａを介して編組線１０３と芯線１０１との間でショート（短絡）するという懸念があった。
【０００９】
そこで、未発明は、前記した課題を解決すべくなされたものであり、シールド電線の先端部の露出した編組線のほつれに起因するショートを防止できるシールド電線の端末接続構造を提供することを目的とする。
【課題を解決するための手段】
【００１０】
本発明は、シールド電線が芯線と前記芯線の外周を絶縁内皮を介して覆う編組線とを有し、先端側が露出された前記芯線に端子を接続し、先端側が露出されて折り返しで二重にされた前記編組線にシールド部材を接続するシールド電線の端末接続構造であって、連結段差部を挟んで同軸上に配置された小筒部と大筒部を有する導電性材のスリーブが前記芯線の先端側より挿入され、前記スリーブは、前記小筒部が前記編組線の折り返しによって露出された前記絶縁内皮の外周を覆い、前記連結段差部が前記絶縁内皮と二重にされた前記編組線との段差を覆い、前記大筒部が二重にされた前記編組線の外周を覆い、前記シールド部材は、前記スリーブを介して前記シールド電線に接続されたことを特徴とするシールド電線の端末接続構造である。
【００１１】
前記シールド部材には、軸方向の両端に開口端を有するスリットが形成され、前記スリットは、軸方向に延びるストレート部と、前記ストレート部の間に介在され、軸方向とは異なる方向に延びる段差部とを有し、前記シールド部材は、拡径方向の変位によって前記スリーブの外周に配置され、縮径方向の変位によって前記スリーブに嵌合されることが好ましい。
【発明の効果】
【００１２】
本発明によれば、スリーブをシールド電線に挿入する際に、編組線にほつれがあると、スリーブの連結段差部がほつれに接触し、スリーブの挿入と共にほつれがスリーブの挿入方向（芯線の露出箇所の反対方向）に移動し、シールド電線の編組線のほつれに起因する編組線と芯線との間のショートを防止できる。
【図面の簡単な説明】
【００１３】
【図１】本発明の一実施形態を示し、シールド電線の端末接続構造の断面図である。
【図２】本発明の一実施形態を示し、スリーブの斜視図である。
【図３】本発明の一実施形態を示し、スリーブの断面図である。
【図４】本発明の一実施形態を示し、シールド部材の斜視図である。
【図５】本発明の一実施形態を示し、シールド部材の断面図である。
【図６】本発明の一実施形態を示し、（ａ）はシールド電線の各構成部材を露出させた状態を示す正面図、（ｂ）はシールド電線の編組線を折り返して二重にした状態を示す正面図である。
【図７】本発明の一実施形態を示し、（ａ）はシールド電線の先端部をスリーブに挿入する工程を説明する一部破断正面図、（ｂ）はシールド電線の芯線に圧着部を加締め接続する工程を説明する断面図、（ｃ）はシールド部材をスリーブに嵌合する工程を説明する斜視図である。
【図８】一従来例を示し、シールド電線の端末接続構造の断面図である。
【図９】一従来例を示し、（ａ）はシールド電線の各構成部材を露出させた状態を示す正面図、（ｂ）はシールド電線の編組線を折り返して二重にした状態を示す正面図、（ｃ）はシールド電線の芯線に圧着部を加締め接続する工程を説明する断面図である。
【図１０】一従来例を示し、シールド電線の編組線のほつれが発生した状態を示す正面図である。
【発明を実施するための形態】
【００１４】
以下、本発明の実施形態を図面に基づいて説明する。
【００１５】
図１〜図７は本発明の一実施形態を示す。図１に示すように、シールド電線１は、導体からなる芯線２と、芯線２の外周を絶縁内皮３を介して覆う編組線４と、この編組線４を覆う絶縁外皮５とから構成されている。本実施形態の端末接続構造１０は、シールド電線１の露出された芯線２に接続される端子２０と、シールド電線１の先端部が挿入される導電性材のスリーブ３０と、このスリーブ３０が挿入され、スリーブ３０を介してシールド電線１に接続されるシールド部材４０とを有している。
【００１６】
端子２０は、相手端子（図示せず）を収容する筒状の端子収容部２１と、この端子収容部２１の底部と一体に形成され、端子収容部２１より後方（図１の右側）に延設される底板部２２と、底板部２２の幅方向の両端から上方に折り曲げ形成され、シールド電線１の露出した芯線２に圧着接続される圧着部２３とを有する。
【００１７】
スリーブ３０は、段付き筒状に形成されており、連結段差部３１を挟んで同軸上に配置された小筒部３２と大筒部３３を備えている。小筒部３２は、編組線４の折り返しによって露出された絶縁内皮３の外周を覆う。小筒部３２の先端の外周には、シールド部材４０を係止する一対の係止突起３４が設けられている。連結段差部３１は、絶縁内皮３と二重にされた編組線４との段差６を覆う。大筒部３３は、二重にされた編組線４の外周を覆う。大筒部３３の外周には、シールド部材４０を連結する連結部３５が設けられている。
【００１８】
シールド部材４０も、段付き筒状に形成されており、連結段差部４１を挟んで同軸上に配置された小筒部４２と大筒部４３を備えている。シールド部材４０にスリーブ３０が挿入される。小筒部４２には、スリーブ３０の小筒部３２が嵌合すると共に、小筒部４２は、スリーブ３０の小筒部３２及び端子２０の各外周を覆う。小筒部４２の後端側には、各係止突起３４が係合する係合孔４４が設けられている。連結段差部４１は、スリーブ３０の連結段差部３１の外側を覆う。大筒部４３には、スリーブ３０の大筒部３３が収容されると共に、大筒部４３は、スリーブ３０の大筒部３３を介してシールド電線１の先端部を覆う。大筒部４３の後端には、スリーブ３０の連結部３５に係止する係止部４５が形成されている。
【００１９】
また、シールド部材４０には、軸方向の両端に開口端を有するスリット４６が形成されている。スリット４６は、軸方向に延びるストレート部４６ａと、ストレート部４６ａの間に介在され、軸方向とは異なる方向に延びる段差部４６ｂとを有している。シールド部材４０は拡径方向の変位によってスリーブ３０の外周に配置され、縮径方向の変位によってスリーブ３０に嵌合される。
【００２０】
上記構成では、先ず、図６（ａ）に示すように、シールド電線１の先端部の皮剥ぎ処理を行い、シールド電線１の先端から後端側に向かって芯線２、絶縁内皮３、及び編組線４の順に露出させる。次に、図６（ｂ）の矢印Ａ１で示すように、露出した編組線４を後端側に折り返して二重にする。
【００２１】
次に、図７（ａ）に示すように、シールド電線１の先端部をスリーブ３０に後方から挿入する。これにより、編組線４の折り返しによって露出された絶縁内皮３の外周が小筒部３２で覆われ、絶縁内皮３と二重にされた編組線４との段差６が連結段差部３１で覆われ、二重にされた編組線４の外周が大筒部３３で覆われる。
【００２２】
次に、図７（ｂ）に示すように、端子２０の圧着部２３に、シールド電線１の露出した芯線２を装着して圧着治具（図示せず）で圧着部２３を加締めることにより、圧着部２３を芯線２に圧着接続する。
【００２３】
次に、図７（ｃ）に示すように、シールド部材４０をスリーブ３０に組み付ける際に、シールド部材４０をその拡径方向の変位によってスリーブ３０の外周に配置して、シールド部材４０にスリーブ３０を挿入する。
【００２４】
次に、図1に示すように、シールド部材４０の縮径方向の変位によってシールド部材４０の大筒部４２をスリーブ３０の大筒部３２に嵌合させる。これにより、シールド部材４０の係合孔４４にスリーブ３０の係止突起３４が係止すると共に、シールド部材４０の係止部４５がスリーブ３０の連結部３４に係止するので、シールド部材４０がスリーブ３０に連結された状態に保持される。この連結状態では、シールド部材４０の小筒部４２により、スリーブ３０の小筒部３２の外周が覆われると共に、端子２０の外周も覆われる。連結段差部４１により、スリーブ３０の連結段差部３１の外側が覆われる。大筒部４３により、スリーブ３０の大筒部３３を介してシールド電線１の先端部が覆われる。
【００２５】
以上説明したように、連結段差部３１を挟んで同軸上に配置された小筒部３２と大筒部３３を有する導電性材のスリーブ３０が芯線１の先端側より挿入され、スリーブ３０は、小筒部３２が編組線４の折り返しによって露出された絶縁内皮３の外周を覆い、連結段差部３１が絶縁内皮３と二重にされた編組線４との段差６を覆い、大筒部３３が二重にされた編組線４の外周を覆い、シールド部材４０は、スリーブ３０を介してシールド電線１に接続されている。従って、スリーブ３０をシールド電線１の先端部に挿入する際に、編組線４にほつれがあると、スリーブ３０の連結段差部３１がほつれに接触し、スリーブ３０の挿入と共にほつれがスリーブ３０の挿入方向（芯線２の露出箇所の反対方向）に移動し、シールド電線１の編組線４のほつれに起因する編組線４と芯線２との間のショートを防止できる。
【００２６】
シールド部材４０が拡径してスリット４６が開いても、スリット４６には軸方向とは異なる方向に延びる段差部４６ｂがあるため、スリーブ３０が離脱できる幅のストレートな開口ができないため、シールド部材４０のスリット４６からスリーブ３０等が離脱することがない。
【００２７】
シールド電線１の先端部が導電性材のスリーブ３０、及びシールド部材４０により覆われており、しかもスリーブ３０及びシールド部材４０の途中に外部への開放部がないので、シールド電線１の電磁遮蔽特性を向上させることができる。
【符号の説明】
【００２８】
１  シールド電線
２  芯線
３  絶縁内皮
４  編組線
１０  端末接続構造
２０  端子
３０  スリーブ
３１  連結段差部
３２  小筒部
３３  大筒部
４０  シールド部材
４６  スリット
４６ａ  ストレート部
４６ｂ  段差部
【図１】
2015079651.tif 000003
【図２】
2015079651.tif 000004
【図３】
2015079651.tif 000005
【図４】
2015079651.tif 000006
【図５】
2015079651.tif 000007
【図６】
2015079651.tif 000008
【図７】
2015079651.tif 000009
【図８】
2015079651.tif 000010
【図９】
2015079651.tif 000011
【図１０】
2015079651.tif 000012